(57)【特許請求の範囲】
【請求項１】
キャビネット内の空気通路に前面側熱交換器および背面側熱交換器が配設され、両熱交換器で囲まれた空間内にファンが配設され、前面側熱交換器の下方に配置され前面側熱交換器で生じたドレン水を受ける前面側ドレンパンが前面側熱交換器の下方に配置され、背面側熱交換器に生じたドレン水を受ける背面側ドレンパンが背面側熱交換器の下方に配置され、背面側ドレンパンのドレン水を前面側ドレンパンに導く導水路が前記空気通路の側方に設けられた空気調和機の排水構造であって、
前記導水路の先端滴下部が前面側ドレンパンの合流部の上方に配設され、
前記滴下部の空気通路側壁面が対向する反対側の側壁よりも前方に突出されて前方延長壁が形成され、
前記滴下部は断面略Ｖ字形に形成され、前記前方延長壁がＶ字形の斜面壁に沿って前方に延設され、
前記前方延長壁の裏面から下方に向けて下方延長壁が形成され、
前記下方延長壁は、前方延長壁の最下端から下方に向けて形成されると共に前記滴下部の下方にも連続して形成されたことを特徴とする、空気調和機の室内機における排水構造。
【発明の詳細な説明】
【技術分野】
【０００１】
本発明は、空気調和機の室内機における排水構造に関するものである。
【背景技術】
【０００２】
従来、この種の空気調和機の室内機における排水構造として、特許文献１には、後ケースと前ケースを備えたキャビネット内に、前面側熱交換器と背面側熱交換器とで側面視逆Ｖ字状をなすように形成された室内熱交換器が配設され、この室内熱交換器の逆Ｖ字状空間内にクロスフローファンが配設され、前面側熱交換器に生じたドレン水を受け取る前面側ドレンパンが前面側熱交換器の下方に配設され、背面熱交換器に生じたドレン水を受け取る背面側ドレンパンが後ケースと一体に形成された状態で背面側熱交換器の下方に配設され、背面側ドレンパンから前面側ドレンパンにドレン水を導く導水路が形成された排水構造が開示されている。
【先行技術文献】
【特許文献】
【０００３】
【特許文献１】特開２００２−９８３４７号公報
【発明の概要】
【発明が解決しようとする課題】
【０００４】
ところで、この種の室内機の排水構造においては、図１３〜図１５に示すように、導水路１００がキャビネット内の吸込口から吹出口に至る空気通路１０１に隣接し、背面側ドレンパンと前面側ドレンパンとの合わせ目には隙間１０６が存在する。空気通路内のファン１０２により、空気通路側１０１が負圧になり、空気通路１０１に隣接する導水路１００の先端滴下部１０３から前面側ドレンパンの合流部１０４に滴下するドレン水１０５がこの隙間１０６から空気通路側に吸引されるため、空気通路１０１内にドレン水が侵入し、吹出口を経て室内に放出される可能性があった。
【０００５】
特に、図１５に示すように、背面側ドレン水１０５の量が多い場合、滴下部１０３から落下するドレン水は下方に向かうことなく、図１４に示すように、空気通路側に吸引され、吹出口から吹出される可能性が高くなる。
【０００６】
ドレン水が空気通路内に侵入するのを防止するために新たに空気通路と滴下部との間にシール材を介在させる必要があり、部品点数が増加するおそれがあった。
【０００７】
また、空気通路内のファンの影響を少なくするために、導水路の滴下部をファンから遠ざけるように構成することも可能であるが、このように導水路の滴下部を空気通路から離す設計にした場合、その分だけ余分なスペースが必要となり、室内機が大型化するか、空気通路を狭くすることになり、送風性能が低下するおそれがあった。
【０００８】
本発明は、上記に鑑み、空気通路側のファンの影響を抑え、空気通路側へのドレン水の侵入を抑えることができる空気調和機の室内機における排水構造の提供を目的としている。
【課題を解決するための手段】
【０００９】
上記目的を達成するため、本発明は、キャビネット内の空気通路に前面側熱交換器および背面側熱交換器が配設され、両熱交換器で囲まれた空間内にファンが配設され、前面側熱交換器の下方に配置され前面側熱交換器で生じたドレン水を受ける前面側ドレンパンが前面側熱交換器の下方に配置され、背面側熱交換器に生じたドレン水を受ける背面側ドレンパンが背面側熱交換器の下方に配置され、背面側ドレンパンのドレン水を前面側ドレンパンに導く導水路が前記空気通路の側方に設けられた空気調和機の排水構造であって、前記導水路の先端滴下部が前面側ドレンパンの合流部の上方に配設され、前記滴下部の空気通路側壁面が対向する反対側の側壁よりも前方に突出されて前方延長壁が形成され、前記滴下部は断面略Ｖ字形に形成され、前記前方延長壁がＶ字形の斜面壁に沿って前方に延設され、前記前方延長壁の裏面から下方に向けて下方延長壁が形成され、前記下方延長壁は、前方延長壁の最下端から下方に向けて形成されると共に前記滴下部の下方にも連続して形成されている。
【００１０】
上記構成においては、背面側ドレンパンのドレン水は、背面側ドレンパンから導水路に導かれて、導水路の先端滴下部から前面側ドレンパンの合流部に滴下する。このとき、導水路及びその滴下部は空気通路の側方に隣接して配置されているため、ファンが駆動すると、空気通路が負圧になり、これにより、滴下部から滴下したドレン水を空気通路側に引っ張ろうとする。
【００１１】
しかし、滴下部の空気通路側壁面が前方に延長されて前方延長壁を形成し、さらに、前方延長壁の裏面から下方に向けて下方延長壁が形成されているので、滴下部より滴下したドレン水が空気通路側に流れにくくなる。特に、滴下部から滴下したドレン水が空気通路側の負圧により空気通路側に吸引されたとしても下方延長壁により阻止され、空気通路側へ侵入するのを防止することができる。
【００１２】
なお、滴下部の形状は特に限定されるものではなく、筒状断面、上開放コ字状断面、Ｕ字状断面、Ｖ字状の断面等、各種断面形状を採用することができる。一例として、滴下部を断面略Ｖ字形に形成し、前方延長壁をこのＶ字形の斜面壁に沿って前方に延設する態様を採用することができる。
【００１３】
滴下部がＶ字形断面である場合、底部にドレン水が集束しやすくなり、集束したドレン水を斜面状の前方延長壁に沿って前方に導き、下方に落下させることができる。
【００１４】
下方延長壁は前方延長壁のみならず、滴下部の下方にも連続して形成することが望ましい。
【００１５】
これにより、滴下部から前方延長壁に向かわず直下に滴下するドレン水も滴下部に形成された下方延長壁により、空気通路側に流れるのを阻止することができる。
【００１６】
下方延長壁の形成位置は、空気通路の負圧によりドレン水が空気通路側に侵入するのを阻止できる位置ならば、特に限定されるものではなく、例えば、前方延長壁の裏面ならば左右方向でどの位置でもよい。一例として、前方延長壁の裏面で空気通路最隣接部に形成することができる。
【００１７】
これにより、下方延長壁が空気通路との隔壁と接触させて、空気通路側の負圧によりドレン水が吸引されるのを確実に阻止することもできる。
【００１８】
また、他の例として、下方延長壁を前方延長壁の最下端から下方に向けて形成することもできる。
【００１９】
これにより、下方延長壁が前方延長壁を伝って下方に落下してきたドレン水を的確に下方に導き、空気通路側へ侵入するのを抑えることができる。
【発明の効果】
【００２０】
以上のとおり、滴下部の空気通路側壁面が対向する反対側の側壁よりも前方に突出されて前方延長壁が形成されているので、滴下部より前面側ドレンパンの合流部に滴下したドレン水を前方延長壁で空気通路側に流れるのを阻止し、流れにくくすることができる。
【図面の簡単な説明】
【００２１】
【図１】本実施形態である空気調和機の室内機の外観斜視図である。
【図２】図１の室内機の正面図である。
【図３】図２のＡ−Ａ断面図である。
【図４】図１のキャビネットを構成する背面板（ドレンパンユニット付き）の正面図である。
【図５】図４のＢ−Ｂ断面図である。
【図６】キャビネットを構成する背面板（ファン付き）の外観斜視図である。
【図７】キャビネットを構成する背面板（ドレンパンユニット及びファン付き）の平面図である。
【図８】図７のＤ−Ｄ断面図である。
【図９】背面側ドレン水量が多いときの滴下部の拡大正面図である。
【図１０】別の実施形態であるキャビネットを構成する背面板（ドレンパンユニット付き）の平面図である。
【図１１】キャビネットを構成する背面板（ドレンパン付き）の正面側から見た外観斜視図である。
【図１２】図１０のＦ−Ｆ断面図である。
【図１３】従来の排水構造における滴下部の斜視図である。
【図１４】従来の排水構造におけるドレン水の流れを示す断面図である。
【図１５】従来の排水構造における背面側ドレン水量が多いときの滴下部の拡大正面図である。
【発明を実施するための最良の形態】
【００２２】
本発明に係る実施形態として、セパレート型空気調和機の室内機の排水構造について説明する。まず、この種の空気調和機は、室内機の内部に収容される熱交換器と、図示しない室外機に収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００２３】
室内機は、図１〜図３に示すように、キャビネット１の天面に室内空気を吸込む吸込口２が形成され、キャビネット１の前面下方の開口に吹出口４が形成されている。キャビネット１の内部には、吸込口２から吹出口４に至る空気通路５が形成され、この空気通路５に熱交換器６とファン７とが配置されている。
【００２４】
キャビネット１は、図１に示すように、背面板８と前面パネル９とが互いに組み合わされて外装を構成している。
【００２５】
背面板８は、前面開放の箱型に形成され、背面側は室内の壁面に取り付けることができるよう平坦面が形成されている。また、背面板８の前面側には空気通路５の後側送風案内壁を形成する凹曲面状の後案内壁１０が形成されている。さらに、背面板８の天面には吸込口２の後ろ側を構成する吸込口グリル１１が形成されている。
【００２６】
前面パネル９は、背面側が開放した箱型形状に形成され、その前面の開口を覆うように前カバー１６が配置され、前カバー１６を開閉することにより、キャビネット内部のフィルタ清掃ユニット１４からフィルタ１５を取り出すことができるようになっている。前面パネル９の天面には背面側の吸込口グリル１１と並設するように吸込口グリル１７が形成され、この吸込口グリル１７と背面板８の吸込口グリル１１とにより吸込口２が構成されている。
【００２７】
吸込口グリル１１，１７の裏面側に配置されたフィルタ１５よりも空気通路５で下流側には熱交換器６が配置されている。熱交換器６は、前面パネル９側に配置された前面側熱交換器６ａと、背面板８側に配置された背面側熱交換器６ｂとから側面視で逆Ｖ字形に配置される。
【００２８】
熱交換器６よりも空気通路５の下流側には逆Ｖ字形の熱交換器６で囲まれた空間部にファン７が配置されている。ファン７はクロスフローファンであって、その回転軸が左右方向に配置される。回転軸の一側は軸受け２０を介して背面板８側に回転自在に支持され、その軸端にファンモータ２１が連結されている。回転軸の他側は軸受け２２を介してキャビネット１の側面支持部２３に回転自在に支持されている。
【００２９】
前面側熱交換器６ａの下方には断面上開放コ字形の前面側ドレンパン２５が配置される。前面側ドレンパン２５は、前面側熱交換器６ａの左右方向長さに合わせて左右方向に長く形成され、内部には断熱材２５ａが貼られている。さらに、前面側ドレンパン２５の左右方向で他側（本例ではキャビネット１の軸受け２２側）に背面側ドレンパン２６からのドレン水Ａを合流させる合流部２７が前面側ドレンパンの本体部と連通するように形成されている。
【００３０】
合流部２７は、図５に示すように、側面視で断面三角形状に形成され、その底部に背面側に排水するための排水口２８が形成され、排水は図示しない排水ホースを通って外部に排出できるようになっている。図５において、背面板８の下部には排水ホースを収納する収納部３２が形成されている。
【００３１】
背面板８には、図５に示すように、後側案内壁１０の背面側に背面側ドレンパン２６が設けられている。背面側ドレンパン２６は、側面視で断面上開放コ字形に形成され、背面側熱交換器６ｂの左右方向長さに合わせて左右方向に長く形成されている。
【００３２】
なお、本例では、背面側ドレンパン２６が背面板８および後側案内壁と一体成形され、部品点数の軽減が図られているが、背面板８と一体または別体のいずれであってもよく、さらに、背面板と別体に形成し、後側案内壁と一体に成形するなど、各種態様を採用することができる。
【００３３】
そして、背面側ドレンパン２６の左右方向で側方には背面側ドレンパン２６からのドレン水を前面側ドレンパン２５に導く導水路３１が形成されている。この導水路３１は、キャビネット１の軸受け２２側に配置される。この導水路３１は、背面側ドレンパン２６より前面側ドレンパン２５の合流部２７にかけて樋状に形成されている。背面側ドレンパン２６の上下方向の位置は前面側ドレンパン２５の上下方向に位置に比べて高い位置に設定され、導水路３１は前面側ドレンパン側が低くなるように設定されている。
【００３４】
本例では、導水路３１は、左右の側壁３１ａ，３１ｂから正面視で断面Ｖ字状に形成されているが、その断面形状は後述の滴下部３５の形状と同じく特に限定されるものではない。導水路３１を構成する樋状の左右の側壁３１ａ，３１ｂは、その上面にファン７の回転軸用の軸受け２２を支持する支持用凹部３３が形成され、この凹部３３に軸受け２２が嵌合支持されるようになっている。
【００３５】
なお、導水路３１を構成する側壁３１ａ，３１ｂに軸支持機能を持たせることなく、軸受け２２をキャビネット１の別の側壁に形成した支持凹部により支持するようにしてもよい。
【００３６】
導水路３１の前方先端には前面側ドレンパン２５の合流部２７にドレン水Ａを滴下させるための滴下部３５が形成され、その下方に前面側ドレンパン２５の合流部２７が配設されている。
【００３７】
滴下部３５は、図６及び図８に示すように、正面視でＶ字状に形成され、底部にドレン水を集束しやすい形状としている。ただ、滴下部３５の断面形状は、これに限定されるものではなく、パイプ状断面、上開放コ字状断面、Ｕ字状断面等、各種断面形状を採用することができる。
【００３８】
滴下部３５の側壁は、導水路を構成する左右の側壁３１ａ，３１ｂに連続して設けられている。したがって、同じ符号を用いて滴下部３５の側壁を表わす。滴下部３５の空気通路側の側壁３１ａは、対向する反対側の側壁３１ｂよりも前方に突出されて前方延長壁３６が形成されている。この前方延長壁３６により、空気通路側がファン７の駆動により負圧になり、滴下するドレン水Ａが空気通路側に吸引されて空気通路側に流れるのを阻止している。前方延長壁３６の上下方向の高さおよび前後方向の長さは、滴下するドレン水Ａが空気通路側に流れるのを阻止できる程度の長さであればよい。
【００３９】
前方延長壁３６の裏面３６ａには下方に向けて下方延長壁３７が形成され、滴下するドレン水Ａが空気通路側の負圧により吸引されて、空気通路側に流れるのを阻止するようになっている。本例では、前方延長壁３６の裏面３６ａの一例である、前方延長壁３６の最下端から下方延長壁３７を形成している。
【００４０】
下方延長壁３７は垂直に下方に向けて形成されているが、その高さは、合流部２７における空気通路側の側壁３８の高さよりも低くなるよう、言い換えれば、背面側ドレンパン２６と前面側ドレンパン２５との合わせ目に存在する隙間３９よりも低くなるように設けられている。つまり、合流部２７の空気通路側の側壁３８と上下方向でオーバーラップする程度の高さに設定され、滴下するドレン水Ａが容易に空気通路５側に流れないようにしている。
【００４１】
下方延長壁３７は、前方延長壁３６の裏面３６ａのみならず、滴下部３５を含む位置まで後方に延長され、滴下部３５から滴下するドレン水Ａが空気通路側に流れるのを確実に阻止できるようになっている。
【００４２】
本例では、図６に示すように、前方延長壁３６が滴下部３５を構成する空気通路側の傾斜した側壁３１ａの前方に斜めに傾斜して形成され、その下端から垂直下方に下方延長壁３７が形成されている。これにより、滴下部３５から滴下するドレン水Ａは合流部２７における空気通路側の側壁３８から離れる方向に滴下し、滴下するドレン水も下方延長壁３７により下方に垂直に落下するように構成されている。
【００４３】
空気通路５は、左右方向で側方において、導水路３１を構成する側壁３１ａにより外側と区画され、また、側壁３１ａの前側に配置される前側ドレンパン２５の合流部２７の側壁３８により合流部２７内と区画されるようになっている。さらに、空気通路５は、ファン７の軸受２２を前面側から覆う半割収容カバー（図示略）によっても側方が区画され、導水路３１並びに合流部２７と区画される構造となっている。
【００４４】
また、空気通路５は、ファン７よりも下流側で前後方向に送風案内壁が形成され、ファン７からの送風を吹出口４からキャビネット１の前面開口に導くようになっている。空気通路５のうち、前側の送風案内壁は、前面側ドレンパン２５の後壁面２５ｂおよび底壁面２５ｃから構成される。後側の送風案内壁は、背面板８の前側に形成された後案内壁１０から構成されている。前面側ドレンパン２５の後壁面２５ｂと背面板８側の後案内壁１０との間に隙間を空けてファン７が配置されている。
【００４５】
本例では、前面側ドレンパン２５と吹出口４と風向変更装置４０とが一体となったドレンパンユニット４１が設けられている。ドレンパンユニット４１は、ユニット本体の中央部に吹出口４が形成され、吹出口４の前方に回動可能に横ルーバ４２が設けられ、横ルーバ４２の後側で吹出口４に揺動可能に複数の縦ルーバ４３が配設されている。横ルーバ４２及び縦ルーバ４３により風向変更装置４０が構成される。
【００４６】
ドレンパンユニット４１は、前面パネル９の前面下部の開口に嵌め込まれ、背面板８の前部に取り付けられている。
【００４７】
上記構成において、背面側ドレンパン２６のドレン水は、背面側ドレンパン２６から導水路３１に導かれて、導水路３１の先端滴下部３５から前面側ドレンパン２５の合流部２７に滴下する。このとき、導水路３１及びその滴下部３５は空気通路５の側方に隣接して配置されているため、ファン７が駆動すると、空気通路５が負圧になり、これにより、滴下部３５から滴下したドレン水が空気通路５側に吸引される。
【００４８】
しかし、本例では、滴下部３５の空気通路５の側壁３１ａが前方に延長されて前方延長壁３６が形成され、さらに、前方延長壁３６の裏面３６ａの一部を構成する、前方延長壁３６の最下端から下方延長壁３７が形成されているので、滴下部３５より滴下したドレン水Ａが前方延長壁３６の表面３６ｂを伝って下方に落下しても、下方延長壁３７により空気通路側に流れるのを阻止する。特に、滴下部３５から滴下したドレン水Ａが空気通路側の負圧により空気通路側に吸引されたとしても下方延長壁３７により阻止され、背面側ドレンパン２６と前面側ドレンパン２５との合わせ目に存在する隙間３９より空気通路側へ侵入するのを防止することができる。
【００４９】
さらに、下方延長壁３７は前方延長壁３６のみならず、滴下部３５の下方にも連続して形成されているので、滴下部３５から前方延長壁３６に向かわず、直下に滴下するドレン水も滴下部３５の下方の下方延長壁３７に案内されて、合流部２７に滴下する。
【００５０】
このように、前方延長壁３６および下方延長壁３７を設けたので、滴下部３５から滴下したドレン水が空気通路側の負圧により空気通路側に吸引されたとしても下方延長壁３７により阻止され、合流部２７に滴下するので、空気通路側への流出を防止することができる。
【００５１】
なお、滴下部の前方延長壁３６及び下方延長壁３７の形態は上記実施形態に限定されるものではない。図１０ないし図１２は滴下部３５並びに前方延長壁３６及び下方延長壁３７の他の実施形態を示す。
【００５２】
この例では、滴下部３５は、図１２に示すように、下方延長壁３７が前方延長壁３６の裏面３６ａで左右方向中間付近から下方に延長されている。下方延長壁３７は、合流部２７の側壁３８の内面側に近接して遮水壁を形成している。また、前方延長壁３６は、滴下部３５の最下端から前方側が斜め上方に向けて傾斜して形成されている。
【００５３】
また、滴下部３５は、図１２に示すように、空気通路側の側壁３１ａが下方に向かうにつれて空気通路５から離れる方向に傾斜し、反対側の側壁３１ｂが垂直壁とされている。
【００５４】
このような構成により、滴下部３５の滴下位置は、空気通路５側から離れる方向に滴下することになる。また、合流部２７の側壁３８の内面に近接する下方延長壁３７によって、ドレン水Ａが前方延長壁３６の表面３６ｂを伝って下方延長壁３７から、その下端を回り込んで空気通路側に流れようとしても、下方延長壁３７が合流部２７の空気通路側の側壁３８と上下方向でオーバーラップし、さらに合流部２７の側壁３８の内面と近接しているので、滴下するドレン水Ａが容易に空気通路５側に流れないようになっている。
【００５５】
なお、本発明は上記実施形態に限定されるものではなく、本発明の範囲内で多くの修正・変更を加えることができるのは勿論である。例えば、下方延長壁３７の形成位置は、空気通路５の負圧によりドレン水が空気通路側に侵入するのを阻止できる位置ならば、上記実施形態に限定されるものではなく、前方延長壁３６の裏面において、左右方向でどの位置に形成してもよい。図６に示す例は、下方延長壁の形成位置が前方延長壁の最下端から下方に向けて形成された例であり、図１２に示す例は、前方延長壁の裏面において左右方向の中間位置に形成された例である。前方延長壁３６の裏面において、下方延長壁３７を形成する場合、必ずしも厳密な垂直方向である必要はなく、傾斜していてもよい。
【００５６】
また、導水路を構成する側壁３１ａ，３１ｂは、背面側ドレンパン２６と別体に形成しても、あるいは一体に形成したものであってもよい。
【符号の説明】
【００５７】
１    キャビネット
２    吸込口
４    吹出口
５    空気通路
６    熱交換器
６ａ    前面側熱交換器
６ｂ    背面側熱交換器
７    ファン
８    背面板
９    前面パネル
１０    後案内壁
１１    吸込口グリル
１４    フィルタ清掃ユニット
１５    フィルタ
１６    前カバー
１７    吸込口グリル
２１    ファンモータ
２２    軸受け
２３    側面支持部
２５    前面側ドレンパン
２６    背面側ドレンパン
２７    合流部
２８    排水口
３１    導水路
３２    収納部
３１ａ，３１ｂ    側壁
３５    滴下部
３６    前方延長壁
３６ａ  前方延長壁の裏面
３６ｂ  前方延長壁の表面
３７    下方延長壁
３８    空気通路側の側壁
３９    隙間
４０    風向変更装置
４１    ドレンパンユニット
４２    横ルーバ
４３    縦ルーバ
【図１】
0005908736.tif 000002
【図２】
0005908736.tif 000003
【図３】
0005908736.tif 000004
【図４】
0005908736.tif 000005
【図５】
0005908736.tif 000006
【図６】
0005908736.tif 000007
【図７】
0005908736.tif 000008
【図８】
0005908736.tif 000009
【図９】
0005908736.tif 000010
【図１０】
0005908736.tif 000011
【図１１】
0005908736.tif 000012
【図１２】
0005908736.tif 000013
【図１３】
0005908736.tif 000014
【図１４】
0005908736.tif 000015
【図１５】
0005908736.tif 000016